(57)【要約】【課題】端末へのＩＰアドレスの付与状態に関わらず通信装置に端末を登録し、端末が通信装置に接続時にはＩＰアドレスによる通信装置内のＩＰパケット転送優先度設定を行うことのできる通信装置および無線通信システムを得ること。【解決手段】端末のＭＡＣアドレスと優先度を格納しておく登録端末情報格納手段２と、無線接続した端末から取得したＭＡＣアドレスが、登録端末情報格納手段２から読み出したＭＡＣアドレスの優先度を読み出して、当該ＭＡＣアドレスに対応するＩＰアドレスを取得し、ＩＰアドレスと対応する優先度を送信する端末認識手段３と、端末およびＩＰ網との通信とパケット転送を行い、端末認識手段３から送信されたＩＰアドレスと対応する優先度を取得した場合には、前記優先度に従って端末とＩＰ網とのパケット転送の優先度を設定する通信中継手段４と、を備える。【選択図】図１
2007329790.tif 000002
【特許請求の範囲】
【請求項１】
複数の端末が配下に無線接続されるとともに、ＩＰ網と接続され、端末にＩＰアドレスを割り当てることにより端末とＩＰ網との通信の中継を行う通信装置において、
登録された端末のＭＡＣアドレスと優先度との対応関係を格納する登録端末情報格納手段と、
無線接続した端末のＭＡＣアドレスと、前記登録端末情報格納手段に格納された登録端末のＭＡＣアドレスとの比較に基づき、無線接続した端末の認識処理を行う端末認識手段と、
端末とＩＰ網との間の通信を中継する通信中継手段と、
を備え、
前記端末認識手段は、認識された端末について、前記登録端末情報格納手段から当該ＭＡＣアドレスに対応する優先度を読み出し、該読み出した優先度を当該ＭＡＣアドレスに対応する無線接続時端末のＩＰアドレスとの対応関係に変換し、
前記通信中継手段は、このＩＰアドレスと優先度との対応関係に従って、端末とＩＰ網とのパケット中継制御を行うことを特徴とする通信装置。
【請求項２】
前記端末認識手段による、端末接続時の端末認識処理は、データリンク層のプロトコルに従って行われることを特徴とする請求項１に記載の通信装置。
【請求項３】
前記データリンク層のプロトコルは、ＳＮＡＰプロトコルであることを特徴とする請求項２に記載の通信装置。
【請求項４】
端末の登録状態や認識状態を示す表示手段を具備することを特徴とする請求項１〜３の何れか一つに記載の通信装置。
【請求項５】
ＭＡＣアドレス未登録の端末の接続時は、端末に対して未登録である旨を通知することを特徴とする請求項１〜４の何れか一つに記載の通信装置。
【請求項６】
請求項１〜５の何れか一つに記載の通信装置と、前記通信装置に無線接続される端末とから構成されることを特徴とする無線通信システム。
【発明の詳細な説明】
【技術分野】
【０００１】
本発明は、ＩＰ網を介した電話通信を行なう通信装置および無線通信システムに関するものである。
【背景技術】
【０００２】
近年、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）などブロードバンドアクセス回線の家庭への普及に伴い、パーソナルコンピュータに代表される家庭内の複数のネットワーク機器が、インターネット接続を共有できるようにする、「ブロードバンドルータ」と呼ばれる通信機器が広く普及している。最近ではブロードバンドルータ配下に、単数あるいは複数台のＩＰ（Ｉｎｔｅｒｎｅｔ  Ｐｒｏｔｏｃｏｌ）電話子機を有線あるいは無線により接続可能な、ＩＰ電話対応ルータ（以降、通信装置）と呼ばれる製品も市場投入されている。この通信装置は、配下にネットワーク接続された子機を使って、ＩＰ（Ｉｎｔｅｒｎｅｔ  Ｐｒｏｔｏｃｏｌ）網による外線発着信や、子機同士の内線通話が可能であり、中には公衆回線網用インターフェースを持つことにより、公衆回線網による発着信が可能なものも存在する。
【０００３】
このように通信機器に接続されるＩＰ電話子機等（以降、端末と呼ぶ）は、今後増加していくことが予想されるが、端末の数が増えると通信機器への同時アクセスの可能性が増え、優先度設定を行う必要がでてくる。
【０００４】
これらの要求から、従来の技術として、無線端末のＭＡＣアドレス（Ｍｅｄｉａ  Ａｃｃｅｓｓ  Ｃｏｎｔｒｏｌ  ａｄｄｒｅｓｓ）とドメイン名の対応、およびドメイン名と優先度の対応を通信装置に登録しておき、登録されたＭＡＣアドレスを持つ無線端末が無線接続した場合に、無線端末がドメイン名を通信装置に送信し、通信装置が受信したドメイン名に対応する優先度を無線端末に送信し、無線端末が受信した優先度に従って優先度処理を行うことにより優先度設定が可能な技術が存在する（例えば特許文献１参照）。
【特許文献１】特開２００５−１５１３５９号公報
【発明の開示】
【発明が解決しようとする課題】
【０００５】
しかしながら、上記従来の技術によれば、実際の通信において、無線端末が通信装置を経由して網側とＩＰによる通信を行う場合に、無線端末のＭＡＣアドレスでは、ＩＰパケットのルーティングの転送優先度が設定できないという問題があった。
【０００６】
また、無線端末がＩＰ接続する際には無線端末側にＩＰアドレスが必要であるが、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）でＩＰアドレスを無線端末に割り当てる場合、無線端末のＩＰアドレスは、固定ではなく、予め通信装置に無線端末のＩＰアドレスを優先度設定の登録情報として保持することはできないという問題があった。
【０００７】
本発明は、上記に鑑みてなされたものであって、端末へのＩＰアドレスの付与状態に関わらず通信装置に端末を登録し、端末が通信装置に接続時にはＩＰアドレスによる通信装置内のＩＰパケット転送優先度設定を行うことのできる通信装置および無線通信システムを提供することを目的とする。
【課題を解決するための手段】
【０００８】
上記課題を解決するために本発明は、複数の端末が配下に無線接続されるとともに、ＩＰ網と接続され、端末にＩＰアドレスを割り当てることにより端末とＩＰ網との通信の中継を行う通信装置において、登録された端末のＭＡＣアドレスと優先度との対応関係を格納する登録端末情報格納手段と、無線接続した端末のＭＡＣアドレスと、前記登録端末情報格納手段に格納された登録端末のＭＡＣアドレスとの比較に基づき、無線接続した端末の認識処理を行う端末認識手段と、端末とＩＰ網との間の通信を中継する通信中継手段と、を備え、前記端末認識手段は、認識された端末について、前記登録端末情報格納手段から当該ＭＡＣアドレスに対応する優先度を読み出し、該読み出した優先度を当該ＭＡＣアドレスに対応する無線接続時端末のＩＰアドレスとの対応関係に変換し、前記通信中継手段は、このＩＰアドレスと優先度との対応関係に従って、端末とＩＰ網とのパケット中継制御を行うことを特徴としたものである。
【０００９】
この構成により、端末が通信装置と無線接続した際に、接続時のＩＰアドレスを用いて端末とＩＰ網との間の通信の優先度を設定することができる。
【発明の効果】
【００１０】
本発明によれば、端末へのＩＰアドレスの付与状態に関わらず通信装置に端末を登録し、端末が通信装置に接続時にはＩＰアドレスによる通信装置内のＩＰパケット転送優先度設定を行うことのできる通信装置および無線通信システムが得られる。
【発明を実施するための最良の形態】
【００１１】
本発明の第１の発明の通信装置は、複数の端末が配下に無線接続されるとともに、ＩＰ網と接続され、端末にＩＰアドレスを割り当てることにより端末とＩＰ網との通信の中継を行う通信装置において、登録された端末のＭＡＣアドレスと優先度との対応関係を格納する登録端末情報格納手段と、無線接続した端末のＭＡＣアドレスと、前記登録端末情報格納手段に格納された登録端末のＭＡＣアドレスとの比較に基づき、無線接続した端末の認識処理を行う端末認識手段と、端末とＩＰ網との間の通信を中継する通信中継手段と、を備え、前記端末認識手段は、認識された端末について、前記登録端末情報格納手段から当該ＭＡＣアドレスに対応する優先度を読み出し、該読み出した優先度を当該ＭＡＣアドレスに対応する無線接続時端末のＩＰアドレスとの対応関係に変換し、前記通信中継手段は、このＩＰアドレスと優先度との対応関係に従って、端末とＩＰ網とのパケット中継制御を行うことを特徴としたものであり、これにより、ＭＡＣアドレスと優先度を登録済みの端末が通信装置に無線接続し、ＩＰアドレスが確定した時点で登録端末のＩＰアドレスによりＩＰパケット転送の優先度設定が可能となるという作用を有する。
【００１２】
第２の発明の通信装置は、前記端末認識手段による、端末接続時の端末認識処理は、データリンク層のプロトコルに従って行われることを特徴とした第１の発明に記載した通信装置であり、これにより、通信装置と端末間の認識処理のための通信は、ＩＰアドレス取得前でも実施ができる。
【００１３】
第３の発明の通信装置は、前記データリンク層のプロトコルは、ＳＮＡＰプロトコルであることを特徴とした第２の発明の通信装置であり、これにより、プロトコルが公知となり効率的に開発ができる。
【００１４】
第４の発明の通信装置は、ＭＡＣアドレス未登録の端末の接続時は、端末に対して未登録である旨を通知することを特徴とした第１〜第３の何れか一つの発明の通信装置通信装置において端末の登録状態や認識状態をユーザが表示手段で判別することができる。
【００１５】
第５の発明の通信装置は、ＭＡＣアドレス未登録の端末の接続時は、端末に対して未登録である旨を通知することを特徴とした第１〜第４の何れか一つの発明の通信装置であり、これにより、通信装置に未登録の端末は、通信装置に接続時に未登録であることをユーザが知ることができる。
【００１６】
第６の発明の無線通信システムは、第１〜第５の何れか一つの発明の通信装置と、前記通信装置に無線接続される端末とから構成されることを特徴とした無線通信システムであり、これにより、ＭＡＣアドレスと優先度を登録済みの端末が通信装置に無線接続し、ＩＰアドレスが確定した時点で登録端末のＩＰアドレスによりＩＰパケット転送の優先度設定が可能となるという作用を有する。
【００１７】
以下、本発明の実施の形態について説明する。
【００１８】
（実施の形態１）
図１は、本発明の実施の形態１にかかる通信装置の機能を示す機能ブロック図である。１は、本発明にかかるＩＰ電話対応ルータなどの通信装置、２は、登録された端末のＭＡＣアドレスを格納する登録端末情報格納手段である。３は、端末が無線接続した際に端末の認識処理を行う端末認識手段である。４は端末とＩＰ（Ｉｎｔｅｒｎｅｔ  Ｐｒｏｔｏｃｏｌ）を利用したインターネットやイントラネットなどのネットワーク（以降、ＩＰ網と呼ぶ）との間の通信を中継する通信中継手段である。端末の認識処理は、端末認識手段３が、無線接続した端末のＭＡＣアドレスと、登録端末情報格納手段２に格納されている登録済みＭＡＣアドレスとの比較を行い、登録された端末に該当するがどうかを判断することで実現される。
【００１９】
図２は、本発明の実施の形態１にかかる通信装置のシステムの構成の一例を示すシステム構成図である。端末５は、通信装置１に登録され、無線によりネットワーク接続されているＩＰ電話機や子機等の音声信号を送受信する。ＩＰ網６は、インターネットやイントラネットなどのネットワークである。
【００２０】
図３は、本発明の実施の形態１にかかる通信装置１のハード構成を示す図である。データバス１１は、データバス１１に接続されている各部が送受信するデータが通るバスであり、プログラム格納部１２、中央処理装置１３、メモリ部１４、記憶部１５、出力部１６が接続されている。プログラム格納部１２は、マスクＲＯＭ（Ｒｅａｄ  Ｏｎｌｙ  Ｍｅｍｏｒｙ）やフラッシュＲＯＭ、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などで構成され、通信装置１の動作を制御する各種プログラムを格納したメモリである。中央処理装置１３は、データバス１１を介して各部への信号の配信、各部からの信号の受信を行い、信号により各部を制御する。すなわち、中央処理装置１３は、プログラム格納部１２に格納された各種プログラムに従って、通信装置１全体の動作を制御することにより、通信装置１のＩＰ網６への接続処理や、端末５との無線ネットワーク接続処理、各種プロトコル処理などを実行する。メモリ部１４は、中央処理装置５が処理を行う場合に、一時的な作業用メモリ領域として使用される。メモリ部１４は揮発性メモリで構成される場合が多いが、不揮発性メモリで構成しても良い。記憶部１５は、通信装置１の設定情報や端末５の登録情報など、通信装置１の運用に必要な情報を記録しておく部分であり、フラッシュＲＯＭなど不揮発性メモリで構成される場合が多い。登録端末優先度データ２１は、登録端末情報格納手段２により記憶部１５に格納される、登録端末のＭＡＣアドレスと優先度との対応である。
【００２１】
ネットワーク制御部４１は、ＩＰ（Ｉｎｔｅｒｎｅｔ  Ｐｒｏｔｏｃｏｌ）に代表されるネットワーク層の各種プロトコルによりデータのルーティングを行う。また、ネットワーク制御部４１は、ＬＡＮ内機器に対しては、ＭＡＣアドレスを用いてデータリンク層のプロトコルによりデータの送受信を行い、ＤＨＣＰによりＬＡＮ内機器にプライベードＩＰアドレスを割り当て、ＷＡＮ側と接続する際、インターネットへの接続時にはグローバルＩＰアドレスへの変換を行う。ＬＡＮ側通信部４２は、通信装置１の配下、すなわちＬＡＮ（Ｌｏｃａｌ  Ａｒｅａ  Ｎｅｔｗｏｒｋ）側に配置される端末５と通信装置１を無線により接続する。アンテナ４３は、端末５と通信装置１間の無線通信の電波を送受信するためのものである。アンテナ４３は、様々な形状で構成される場合があり、通信装置１の筐体内／外どちらに設置しても良い。ＷＡＮ側通信部４４は、ＷＡＮ（Ｗｉｄｅ  Ａｒｅａ  Ｎｅｔｗｏｒｋ）やイントラネットなどの外部ネットワークとのデータの送受信を司る部分であり、有線や無線により通信装置１をＩＰ網６などの外部ネットワークに接続する。
【００２２】
出力部１６は、通信装置１の動作状況などをユーザに知らせるための部分であり、ＬＥＤやＬＣＤなどで構成される。
【００２３】
登録端末情報格納手段２の機能は、中央処理装置１３が、プログラム格納部１２に格納されたプログラムを読み出して、メモリ部１４を用いて実行することにより実現される。登録端末のＭＡＣアドレスと優先度は、ユーザにより、例えばファイル形式で作成されて、登録端末情報記憶部２４に格納され、登録端末の追加や優先度変更の際は、ユーザがファイルを更新する。端末認識手段３の機能は、中央処理装置１３が、プログラム格納部１２に格納されたプログラムを読み出して、メモリ部１４を用いて実行することにより実現される。通信中継手段４は、ネットワーク制御部４１、ＬＡＮ側通信部４２、アンテナ４３で構成される。
【００２４】
本実施の形態では、音声通話をするＩＰ電話やその子機を端末としているため、データの種類は同一であり、主として登録済みの端末５に対し非登録の端末５より転送優先度を上げたり、登録された端末５の使用者または端末５の使用目的よって優先度を変えたりという要求に対応するものである。音声通話端末のみでなく、リアルタイム性の要求の低いパソコン端末等を含むデータの種類も混在する場合には、端末が送受信するデータの種類も考慮して端末の優先度付けを実施すればよい。また、本発明により設定された優先度は、汎用のＩＰパケット転送優先処理（例えば、レイヤー３スイッチのＱｏＳ機能（Ｑｕａｌｉｔｙ  ｏｆ  Ｓｅｒｖｉｃｅ機能）に反映される。
【００２５】
図４は、本発明の実施の形態１の動作について、ＩＰパケット転送優先度設定を行うための手順を示すフローチャートである。以下、図４に基づいて設定手順を説明する。
【００２６】
ステップＳ１では、端末認識手段３が、アンテナ４３、ＬＡＮ側通信部４２およびネットワーク制御部４１経由で、通信装置１に端末５が無線接続したことを検出した場合は、ステップＳ２に進み、端末５の通信装置１への無線接続を検出しない場合は、ステップＳ１に戻り、端末５の通信装置１への無線接続を待つ。ステップＳ２では、端末５から通信装置１にＭＡＣアドレスが送信され、端末認識手段３が、無線接続した端末５のＭＡＣアドレスをネットワーク制御部４１から読み出す。ステップＳ３では、端末認識手段３が、ステップＳ２で読み出した接続された端末５のＭＡＣアドレスと、登録端末優先度データ２１から読み出した登録端末のＭＡＣアドレスを比較し、登録端末であると認識された場合は、ステップＳ４へ進み、端末５のＭＡＣアドレスが、登録端末優先度データ２１から読み出した登録端末のＭＡＣアドレスと一致しない場合は、ステップＳ７の非登録端末処理に進む。ステップＳ４では、端末認識手段３は、無線接続した端末５のＩＰアドレスをネットワーク制御部４１から読み出す。ステップＳ５では、端末認識手段３が、無線接続した端末５のＭＡＣアドレスに対応する優先度を登録端末優先度データ２１から読み出す。ステップＳ６では、登録認識手段３は、ステップＳ４で読み出したＩＰアドレスとステップＳ５で読み出した優先度をネットワーク制御部４１に渡し、ネットワーク制御部４１では、当該ＩＰアドレスを送信元か送信先に持つパケットに対し、取得した優先度をＱｏＳ機能等の汎用のＩＰパケット転送優先処理に反映する。ステップＳ７の非登録端末処理では、登録されていない端末に対して、あらかじめ処理内容を定義しておき、それに従って処理を行う。処理内容に特に制限は無いが、例えば、ネットワーク制御部４１により登録端末済の最も優先度の低い端末より低い優先度を設定する等が考えられる。
【００２７】
なお、ＩＰパケット転送優先度設定を行う処理において、通信装置１と端末５の間の通信には、データリンク層のプロトコルを用いてもよい。
【００２８】
なお、ＩＰパケット転送優先度設定を行う処理において、通信装置１と端末５の間の通信には、ＳＮＡＰプロトコルを用いてもよい。
【００２９】
なお、ＩＰパケット転送優先度設定を行う手順を示すフローチャートである図４のステップＳ７の非登録端末処理として、端末５が未登録の場合に、出力部１６に端末５が未登録であることを表示しユーザに通知してもよい。
【００３０】
なお、ＩＰパケット転送優先度設定を行う手順を示すフローチャートである図４のステップＳ６の処理において、端末５の認識処理終了時に、出力部１６に端末５が認識済みであることを表示し、ユーザに通知してもよい。
【００３１】
なお、ＩＰパケット転送優先度設定を行うための手順を示すフローチャートである図４のステップＳ７の非登録端末処理として、端末５に対してＭＡＣアドレス未登録である旨を通知するようにしてもよい。
【００３２】
以上のように本実施の形態１によれば、上記の構成により通信装置１において、ＩＰアドレスが必要なＬＡＮ側とＷＡＮ側のルーティング処理においても、端末５のＩＰアドレスの付与状態に関わらず、予め端末５の優先度をＭＡＣアドレスと対応させて通信装置１に登録しておくことにより優先度設定が可能となる。
【００３３】
（実施の形態２）
図５は、本発明の実施の形態２における通信装置の機能を示す機能ブロック図である。実施の形態２は、実施の形態１に、端末登録を行う機能を追加し、ユーザの操作により通信装置１への接続を許可する端末とその優先度登録ができるようにした実施例である。１は、本発明にかかる通信装置、２は、登録された端末のＭＡＣアドレスを格納する登録端末情報格納手段である。３は、端末が無線接続した際に端末の認識処理を行う端末認識手段である。４は端末とＩＰ網との間の通信を中継する通信中継手段である。端末の認識処理は、端末認識手段３により、無線接続した端末のＭＡＣアドレスと、登録端末情報格納手段２に格納されている登録済みＭＡＣアドレスとの比較を行い、登録された端末に該当するがどうかを判断することで実現される。７は、端末の登録を行う端末登録手段である。通信装置１に接続を許可される端末は端末登録手段７により通信装置１に登録される。端末５は、ボタン等の操作により登録要求モードと通常モードの設定を行うモード設定部５１を備える。
【００３４】
図６は、本発明の実施の形態２にかかる通信装置１のハード構成を示す図である。データバス１１は、データバス１１に接続されている各部が送受信するデータが通るバスであり、プログラム格納部１２、中央処理装置１３、メモリ部１４、記憶部１５、出力部１６が接続されている。プログラム格納部１２は、マスクＲＯＭ（Ｒｅａｄ  Ｏｎｌｙ  Ｍｅｍｏｒｙ）やフラッシュＲＯＭ、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などで構成され、通信装置１の動作を制御する各種プログラムを格納したメモリである。中央処理装置１３は、データバス１１を介して各部への信号の配信、各部からの信号の受信を行い、信号により各部を制御する。すなわち、中央処理装置１３は、プログラム格納部１２に格納された各種プログラムに従って、通信装置１全体の動作を制御することにより、通信装置１のＩＰ網６への接続処理や、端末５との無線ネットワーク接続処理、各種プロトコル処理などを実行する。メモリ部１４は、中央処理装置５が処理を行う場合に、一時的な作業用メモリ領域として使用される。メモリ部１４は揮発性メモリで構成される場合が多いが、不揮発性メモリで構成しても良い。記憶部１５は、通信装置１の設定情報や端末５の登録情報など、通信装置１の運用に必要な情報を記録しておく部分であり、フラッシュＲＯＭなど不揮発性メモリで構成される場合が多い。登録端末優先度データ２１は、登録端末情報格納手段２により記憶部１５に格納される、登録端末のＭＡＣアドレスと優先度である。
【００３５】
ネットワーク制御部４１は、ＩＰ（Ｉｎｔｅｒｎｅｔ  Ｐｒｏｔｏｃｏｌ）に代表されるネットワーク層の各種プロトコルによりデータのルーティングを行う。また、ネットワーク制御部４１は、ＬＡＮ内機器に対しては、ＭＡＣアドレスを用いてデータリンク層のプロトコルによりデータの送受信を行い、ＤＨＣＰによりＬＡＮ内機器にプライベードＩＰアドレスを割り当て、ＷＡＮ側と接続する際、インターネットへの接続時にはグローバルＩＰアドレスへの変換を行う。ＬＡＮ側通信部４２は、通信装置１の配下、すなわちＬＡＮ（Ｌｏｃａｌ  Ａｒｅａ  Ｎｅｔｗｏｒｋ）側に配置される端末５と通信装置１を無線により接続する。アンテナ４３は、端末５と通信装置１間の無線通信の電波を送受信するためのものである。アンテナ４３は、様々な形状で構成される場合があり、通信装置１の筐体内／外どちらに設置しても良い。ＷＡＮ側通信部４４は、ＷＡＮ（Ｗｉｄｅ  Ａｒｅａ  Ｎｅｔｗｏｒｋ）やイントラネットなどの外部ネットワークとのデータの送受信を司る部分であり、有線や無線により通信装置１をＩＰ網６などの外部ネットワークに接続する。
【００３６】
出力部１６は、通信装置１の動作状況などをユーザに知らせるための部分であり、ＬＥＤやＬＣＤなどで構成される。入力部１７は、通信装置１に対してユーザが動作の指示を行うためのものであり、ボタンやスライドスイッチなど様々な形態で構成される。端末登録手段７の機能は、中央処理装置１３が、プログラム格納部１２に格納されたプログラムを読み出しメモリ部１４を用いて実行することにより実現される。
【００３７】
以下、本発明の実施の形態２の動作について、端末登録操作を行うための手順を示すフローチャートである図７に基づいて説明する。なお、端末５は、初期では通常モードに設定されており、新規に通信装置１への登録を行う場合や優先度の変更等、登録に関する情報の変更の際（以降、登録処理と呼ぶ）には、ユーザのモード設定部５１のボタン等の操作により登録要求モードに設定され、登録処理終了後は、ユーザの操作により通常モードに復帰する。また、端末５の登録処理を行う際には、ユーザは、通信装置１の登録開始の操作の前に端末５を登録処理モードに設定しておくものとする。
【００３８】
ステップＳ８では、端末登録手段７は、ユーザ入力装置１７によるユーザの操作による登録開始を待機し、登録開始を検知すると、ステップＳ９に進む。ユーザによる登録開始を検知しない場合には、ステップＳ８の待機状態を保持する。ステップＳ９では、端末登録手段７により、端末５が登録要求モードであるか否かを、ネットワーク制御部４１に問い合わせる。ネットワーク制御部４１では、端末登録手段７からの問い合わせがあると、ＬＡＮ側通信部９を経由して端末５と通信し、端末５が登録要求モードであるか否かを確認し、端末登録手段７に前記確認結果を渡す。端末登録手段７は、ネットワーク制御部４１から、端末５の前記確認結果を受け取り、端末５が登録要求モードであった場合はステップＳ１０に進む。端末５が登録要求モードではなかった場合はステップＳ８に戻る。この時点では、すでに端末５は無線接続されているため、ネットワーク制御部４１は、端末５のＭＡＣアドレスを受信している。ステップＳ１０では、端末登録手段７は、登録要求モードの端末５のＭＡＣアドレスをネットワーク制御部４１から読み出すとともに、読み出した端末５のＭＡＣアドレスを出力部１６に表示する。ステップＳ１１では、ユーザが、出力部１６を確認しながら入力部１７を操作することにより、端末５の優先度を入力する。ステップＳ１２では、端末登録手段１７が、前記ユーザの操作により入力され優先度を入力部１７より受取り、ステップＳ９で読み出した端末５のＭＡＣアドレスと、入力部よりうけとった当該端末５の優先度を記憶部１５に登録端末優先度データ２１として書き込み保存する。
【００３９】
なお、端末登録操作を行うための処理において、通信装置１と端末５の間の通信にデータリンク層のプロトコルを用いてもよい。
【００４０】
なお、端末登録操作を行うための処理において、通信装置１と端末５の間の通信にＳＡＮＰプロトコルを用いてもよい。
【００４１】
なお、端末登録操作を行うための手順を示すフローチャートである図７のステップＳ１１の処理において、端末５の登録処理終了時に、出力部１６に端末５が登録済みであることを表示し、ユーザに通知する、ように構成してもよい。
【００４２】
以上のように、本実施の形態２によれば、上記の構成により、登録対象の端末５のＭＡＣアドレスを通信装置１の出力部１６の画面で確認しながら、入力部１７により端末５のＭＡＣアドレスと優先度の登録動作を行うことができる。
【産業上の利用可能性】
【００４３】
以上のように、本発明にかかる通信装置は、複数の無線端末をＩＰ網と接続する通信システムに有用であり、特に優先度設定が要求されるＩＰ電話等音声通話を含む端末が接続されるルータやそれを含む通信システムなどへの利用が可能である
【図面の簡単な説明】
【００４４】
【図１】本発明の実施の形態１にかかる通信装置の機能を示す機能ブロック図
【図２】本発明の実施の形態１にかかる通信装置を用いたシステムの構成の一例を示すシステム構成図
【図３】本発明の実施の形態１にかかる通信装置のハード構成を示す図
【図４】本発明の実施の形態１のＩＰパケット転送優先度設定を行うための手順を示すフローチャート
【図５】本発明の実施の形態２にかかる通信装置の機能を示す機能ブロック図
【図６】本発明の実施の形態２にかかる通信装置のハード構成を示す図
【図７】本発明の実施の形態２の端末登録操作を行うための手順を示すフローチャート
【符号の説明】
【００４５】
１    通信装置
２    登録端末情報格納手段
３    端末認識手段
４    通信中継手段
５    端末
６    ＩＰ網
７    端末登録手段
１１    データバス
１２    プログラム格納部
１３    中央処理装置
１４    メモリ部
１５    記憶部
１６    出力部
１７    入力部
２１    登録端末優先度データ
４１    ネットワーク制御部
４２    ＬＡＮ側通信部
４３    アンテナ
４４    ＷＡＮ側通信部
５１    モード設定部
【図１】
2007329790.tif 000003
【図２】
2007329790.tif 000004
【図３】
2007329790.tif 000005
【図４】
2007329790.tif 000006
【図５】
2007329790.tif 000007
【図６】
2007329790.tif 000008
【図７】
2007329790.tif 000009